(57)【要約】【課題】洗浄用スリットノズルに付着した液滴によって発生する処理液膜の膜切れを防止する洗浄用スリットノズルおよびこれを備えた洗浄装置を提供する。【解決手段】洗浄用スリットノズルは、薄膜状に処理液を噴射するためのノズル口１を含む外装体を備え、外装体は、第１板状部材２、第２板状部材３およびスペーサ５を含む。外装体は、上面のノズル口１のある側の端部に形成された円形溝１６ａを含む。円形溝１６ａは、ノズル口１の長手方向におけるノズル口１が形成されている区間を含むように延びており、円形溝１６ａの上記の長手方向における少なくとも一方は、側方の端まで形成されている。【選択図】        図１
2004305930.tif 000002
【特許請求の範囲】
【請求項１】
薄膜状に処理液を噴射するためのノズル口を含む外装体を備え、
前記外装体は、上面の前記ノズル口のある側の端部に形成された溝部を含み、
前記溝部は、前記ノズル口の長手方向における前記ノズル口が形成されている区間を含むように延びており、前記溝部の前記長手方向における少なくとも一方は、側方の端まで形成されている、洗浄用スリットノズル。
【請求項２】
前記溝部は、前記側方の端から反対側の端まで形成されている、請求項１に記載の洗浄用スリットノズル。
【請求項３】
前記溝部は、前記長手方向の略中央から前記側方の端および前記反対側の端に向かって、前記溝部の深さが深くなるように形成された、請求項２に記載の洗浄用スリットノズル。
【請求項４】
前記溝部は、前記長手方向に垂直な断面形状が多角形状である、請求項１に記載の洗浄用スリットノズル。
【請求項５】
前記溝部は、前記長手方向に垂直な断面形状が円弧形状である、請求項１に記載の洗浄用スリットノズル。
【請求項６】
前記溝部は、前記長手方向に垂直な断面形状がＶ字形状である、請求項１に記載の洗浄用スリットノズル。
【請求項７】
薄膜状に処理液を噴射するためのノズル口を含む外装体と、
前記外装体の上面において前記ノズル口のある側の端部に形成された突起部とを備え、
前記突起部は、前記ノズル口の長手方向における前記ノズル口が形成されている区間を含むように延びており、前記突起部の前記長手方向における少なくとも一方は、側方の端まで形成されている、洗浄用スリットノズル。
【請求項８】
前記突起部は、前記側方の端から反対側の端まで形成されている、請求項７に記載の洗浄用スリットノズル。
【請求項９】
前記突起部は、前記長手方向の略中央から前記側方の端および前記反対側の端に向かって、前記上面に平行かつ前記長手方向に垂直な方向の前記突起部の長さが短くなるように形成された、請求項８に記載の洗浄用スリットノズル。
【請求項１０】
薄膜状に処理液を噴射するためのノズル口を含む外装体と、
前記外装体の前記ノズル口が形成されている面と同じ面に形成された張出し部と
を備え、
前記張出し部は、前記ノズル口の長手方向における前記ノズル口が形成されている区間を含むように延びており、前記ノズル口の両側に前記ノズル口から離れて形成されている、洗浄用スリットノズル。
【請求項１１】
前記張出し部は、前記長手方向において、前記外装体の一の端から他の端まで形成されている、請求項１０に記載の洗浄用スリットノズル。
【請求項１２】
前記張出し部は、三角柱の形状である、請求項１０に記載の洗浄用スリットノズル。
【請求項１３】
請求項１、請求項７または請求項１０に記載の洗浄用スリットノズルを備える洗浄装置。
【発明の詳細な説明】
【０００１】
【発明の属する技術分野】
本発明は、装置の部品などの洗浄装置に関する。特に、被洗浄物に対して薄膜状に処理液を噴射する洗浄装置に関する。
【０００２】
【従来の技術】
液晶表示装置や半導体装置の製造工程においては、被処理物としてのガラス基板や半導体ウエハなどの基板に回路パターンを形成する成膜工程やフォト工程のほかに、上記の基板を洗浄する洗浄工程がある。
【０００３】
洗浄工程に用いる処理液としては、純水や薬液などを用いる。洗浄装置としては、洗浄槽に薬液を蓄えてそこに基板を浸漬させるディップ方式や、１枚１枚の基板に対して処理液を噴射して洗浄する枚葉方式などがあり、最近では洗浄効果や洗浄効率の高い枚葉方式が採用されることが多くなっている。
【０００４】
枚葉方式によって基板を洗浄する場合、基板の搬送経路の上方や下方に、洗浄用スリットノズルを配置し、この洗浄用スリットノズルから搬送されてくる基板に向けて処理液を噴射することで基板の洗浄を行なう装置がある。
【０００５】
従来の技術に基づく洗浄用スリットノズルを図９に示す。この洗浄用スリットノズルは、被洗浄物としての半導体ウエハや液晶用ガラス基板などの基板を純水やオゾン水などの処理液で洗浄するための一般的なものである。図９（ａ）は洗浄用スリットノズルで基板を洗浄している様子を説明する斜視図であり、図９（ｂ）は側面図である。
【０００６】
被洗浄物としての基板８は、一列に形成された複数の搬送用滑車１５に運搬される。基板８は、搬送用滑車１５の上側を矢印６５の一方向に移動する。洗浄用スリットノズル５０は、基板８の搬送方向に対して反対側の向きに処理液を噴射するように配置されている。
【０００７】
洗浄用スリットノズル５０は、外装体にノズル口１が形成されている。外装体は、第１板状部材２、第２板状部材３、およびこれら１対の間に挟まれたスペーサ５を含み、ねじ７でそれぞれの部材が固定されている。スペーサ５は、１対の板状部材の外周部分を接続するように形成され、洗浄用スリットノズル５０の一の面の一部には、スペーサ５が形成されておらず、処理液を膜状に噴射するためのノズル口１が形成されている。ノズル口１は、薄膜状に処理液を噴射できるように、細長の長方形に形成されている。
【０００８】
洗浄用スリットノズル５０内部において、第１板状部材２および第２板状部材３が対向するそれぞれの面には、図示しない凹部が形成されており、処理液が供給されるための空間部が形成されている。第１板状部材２の上面には、処理液を供給するための処理液供給口４が形成されている。処理液供給口４は、ノズル口１の長手方向の中心に対して、それぞれが対称になる位置に２つ形成されている。処理液供給口４と洗浄用スリットノズル内部の空間部とは連通している。また、洗浄用スリットノズル内部の空間部は、ノズル口１とも連通している。
【０００９】
処理液供給口４には、継手を介してホース（図示せず）が接続されており、ポンプなどの処理液供給手段（図示せず）によって、処理液が洗浄用スリットノズルに供給される。この際、処理液は所定の圧力をかけて供給される。洗浄用スリットノズルに供給された処理液は、処理液供給口４および内部の空間部を通って、ノズル口１から噴射される。噴射される処理液膜３０の圧力は、洗浄用スリットノズルに供給される処理液の圧力を変化させることによって調整される。噴射された処理液膜３０は、基板８に衝突することによって、または、処理液の化学洗浄力によって、基板８の主表面の汚染物質を取り除くことができる。ノズル口１の長手方向の長さは、基板８の幅全体に処理液膜が衝突できるように、基板８の幅よりも長くなるように形成されている。
【００１０】
上記のほかにも、洗浄用スリットノズルから、鉛直方向の下向きに処理液を噴射する洗浄装置もある（たとえば、特許文献１参照）。
【００１１】
【特許文献１】
特開２０００−９４３２５号公報（第３−４頁、第１−４図）
【００１２】
【発明が解決しようとする課題】
洗浄用スリットノズルから薄膜状の処理液を噴射して被洗浄物を洗浄する際において、洗浄すべき部分全体を均一に洗浄する能力を高めるためには、噴射する処理液膜の厚さをノズル口の長手方向において均一にすることが重要である。
【００１３】
図１０に、基板を洗浄している際の洗浄槽１２の概略断面図を示す。洗浄用スリットノズル５０、基板８および基板８を運搬するための搬送用滑車１５は、洗浄槽１２の内部に配置される。洗浄用スリットノズル５０から噴射された処理液膜３０は、基板８に液膜衝突部４０で衝突する際に、一部が基板８の表面で跳ね返って浮遊液滴３１が生じる。浮遊液滴３１は、洗浄槽１２の内部を浮遊して、一部が洗浄槽１２の天井である槽内天井部１４に付着する。槽内天井部１４に付着した液滴は、付着が重なって液溜り３３になり、液溜り３３から落下する落下液滴３２が生じる。落下液滴３２には、矢印６０に示すように、洗浄用スリットノズル５０の上面すなわち、第１板状部材の上面に落下するものがある。また、浮遊液滴３１が空中を漂って、洗浄用スリットノズル５０の主表面に直接付着するものがある。
【００１４】
図１１に、洗浄用スリットノズルに付着した液滴である付着液滴の様子を示す。洗浄用スリットノズルは、処理液膜３０を傾斜させて噴射するために、洗浄用スリットノズル自体が傾斜するように配置されている（図９参照）。よって、洗浄用スリットノズルの第１板状部材２の上面に付着した付着液滴３４は、矢印６７に示すように、ノズル口１が形成されている方に滑り落ちて、処理液膜３０に接触することがあった。この場合、処理液膜３０の流れを乱し、膜切れを起こしている部分である膜切れ部４１が発生していた。膜切れ部４１を生じた部分に対応する基板の部分については、洗浄が行なわれず、基板全体を一様に洗浄することができないという問題があった。
【００１５】
また、洗浄用スリットノズルとして特許文献１に開示されているように、処理液膜を基板に対して垂直に衝突させる装置においても、槽内天井部からの落下液滴や浮遊液滴が洗浄用スリットノズルの外装体の表面に付着する。この付着液滴が外装体の表面を流れ、処理液膜に接触して、膜切れが生じる場合があった。
【００１６】
処理液膜に膜切れが生じると、洗浄性能が悪化するため、生産性にも悪影響を及ぼして、歩留まりが悪化するという問題があった。
【００１７】
本発明の目的は、上記の問題点を解決するためになされたものであり、洗浄用スリットノズルに付着した液滴によって発生する処理液膜の膜切れを防止する洗浄用スリットノズルおよびこれを備えた洗浄装置を提供することを目的とする。
【００１８】
【課題を解決するための手段】
上記目的を達成するため、本発明に基づく洗浄用スリットノズルは、薄膜状に処理液を噴射するためのノズル口を含む外装体を備え、上記外装体は、上面の上記ノズル口のある側の端部に形成された溝部を含む。上記溝部は、上記ノズル口の長手方向における上記ノズル口が形成されている区間を含むように延びており、上記溝部の上記長手方向における少なくとも一方は、側方の端まで形成されている。この構成を採用することにより、上記洗浄用スリットノズルに付着した付着液滴によって発生する処理液膜の膜切れを防止することができる。
【００１９】
上記発明において好ましくは、上記溝部は、上記側方の端から反対側の端まで形成されている。より好ましくは、上記溝部は、上記長手方向の略中央から上記側方の端および上記反対側の端に向かって、上記溝部の深さが深くなるように形成されている。この構成を採用することにより、上記付着液滴を、上記洗浄用スリットノズルの両側の側方に導くことができる。
【００２０】
上記発明において好ましくは、上記溝部は、上記長手方向に垂直な断面形状が多角形状である。この構成を採用することにより、上記溝部の断面積を大きくすることができ、上記付着液滴が多くても、上記付着液滴が上記溝部から溢れることなく、上記側方に液滴を導くことができる。
【００２１】
上記発明において好ましくは、上記溝部は、上記長手方向に垂直な断面形状が円弧形状である。この構成を採用することにより、上記付着液滴の流れを滑らかにすることができる。
【００２２】
上記発明において好ましくは、上記溝部は、上記長手方向に垂直な断面形状がＶ字形状である。この構成を採用することにより、上記溝部を容易に形成することができる。
【００２３】
上記目的を達成するため、本発明に基づく洗浄用スリットノズルは、薄膜状に処理液を噴射するためのノズル口を含む外装体と、上記外装体の上面において上記ノズル口のある側の端部に形成された突起部とを備える。上記突起部は、上記ノズル口の長手方向における上記ノズル口が形成されている区間を含むように延びており、上記突起部の上記長手方向における少なくとも一方は、側方の端まで形成されている。この構成を採用することにより、上記洗浄用スリットノズルに付着した付着液滴によって発生する処理液膜の膜切れを防止することができる。
【００２４】
上記発明において好ましくは、上記突起部は、上記側方の端から反対側の端まで形成されている。より好ましくは、上記突起部は、上記長手方向の略中央から上記側方の端および上記反対側の端に向かって、上記上面に平行かつ上記長手方向に垂直な方向の上記突起部の長さが短くなるように形成されている。この構成を採用することにより、上記付着液滴を上記洗浄用スリットノズルの両側の側方に導くことができる。
【００２５】
上記目的を達成するため、本発明に基づく洗浄用スリットノズルは、薄膜状に処理液を噴射するためのノズル口を含む外装体と、上記外装体の上記ノズル口が形成されている面と同じ面に形成された張出し部とを備える。上記張出し部は、上記ノズル口の長手方向における上記ノズル口が形成されている区間を含むように延びており、上記ノズル口の両側に上記ノズル口から離れて形成されている。この構成を採用することにより、上記洗浄用スリットノズルに付着した付着液滴によって発生する処理液膜の膜切れを防止することができる。
【００２６】
上記発明において好ましくは、上記張出し部は、上記長手方向において、上記外装体の一の端から他の端まで形成されている。この構成を採用することにより、上記付着液滴が上記処理液膜に接触することをより確実に防止できる。
【００２７】
上記発明において好ましくは、上記張出し部は、三角柱の形状である。この構成を採用することにより、上記張出し部を容易に形成することができる。
【００２８】
上記目的を達成するため、本発明に基づく洗浄装置は、上述の洗浄用スリットノズルを備える。この構成を採用することにより、上記洗浄用スリットノズルに付着した付着液滴によって発生する処理液膜の膜切れを防止した洗浄装置を提供することができる。
【００２９】
【発明の実施の形態】
（実施の形態１）
（構成）
図１から図４を参照して、本発明に基づく実施の形態１における洗浄用スリットノズルについて説明する。
【００３０】
図１は、本実施の形態における第１の洗浄用スリットノズルの説明図であり、図１（ａ）は、第１の洗浄用スリットノズルから処理液を噴射している様子を示す図である。
【００３１】
第１の洗浄用スリットノズルは、被洗浄物である基板８の上方に離れて配置されている。第１の洗浄用スリットノズルは、外装体にノズル口１が形成されている。外装体は、第１板状部材２、第２板状部材３、およびこれら１対の間に挟まれたスペーサ５を含み、ねじ７でそれぞれの部材が固定されている。スペーサ５はこれら２枚の板状部材の外周部分を接続するように形成されている。外周部分のうち外装体の一の面の一部には、スペーサ５が形成されておらず、処理液を膜状に噴射するためのノズル口１が形成されている。ノズル口１は、ノズル口１を正面から見た時に、細長の長方形になるように形成されている。第１の洗浄用スリットノズル内部において、第１板状部材２および第２板状部材３が対向するそれぞれの面には、図示しない凹部が形成されており、処理液が供給されるための空間部が形成されている。第１板状部材２の上面には、処理液を供給するための処理液供給口４が形成されている。本実施の形態においては、処理液供給口４は、ノズル口１の長手方向の中心に対して、それぞれが対称になる位置に２つ形成されている。処理液供給口４、洗浄用スリットノズル内部の空間部およびノズル口１は連通している。洗浄用スリットノズルは、矢印６５に示す基板８の搬送方向に対して反対側の向きに処理液を噴射するように配置されている。第１の洗浄用スリットノズルの外装体の上面の端部には、溝部として、円形溝１６ａが形成されている。
【００３２】
図１（ｂ）に第１の洗浄用スリットノズルの先端部の拡大斜視図を、図１（ｃ）に第１の洗浄用スリットノズルの先端部の側面図を示す。円形溝１６ａは、ノズル口１が形成されている側の端部に形成され、ノズル口１が形成されている端面に接するように形成されている。円形溝１６ａは、ノズル口１の長手方向に垂直な断面での形状が円弧形状になるように形成され、上記の長手方向における第１板状部材２の一方の端から反対側の他の端まで形成されている。円形溝１６ａは、上記の長手方向における略中央の円形溝中央部１７で浅く、両側の側方の端で深くなるように形成されている。すなわち、上記の長手方向における略中央から一方の側方の端および反対側の端に向かって、円形溝１６ａの深さが徐々に深くなるように形成されている。
【００３３】
図２に、第２の洗浄用スリットノズルの説明図を示す。図２（ａ）は、第２の洗浄用スリットノズルの先端部の拡大斜視図であり、図２（ｂ）は、第２の洗浄用スリットノズルの先端部の側面図である。第２の洗浄用スリットノズルは、外装体の上面に溝部として、角形溝１９が形成されている。
【００３４】
角形溝１９は、ノズル口１が形成されている側の端部に形成され、ノズル口１が形成されている端面からわずかに離れて形成されている。角形溝１９は、ノズル口１の長手方向における外装体の一方の側方の端から他方の端まで形成されている。角形溝１９は、ノズル口１の長手方向に垂直な断面での形状が台形になるように形成されている。角形溝１９は、上記の台形の互いに平行な２辺のうち、短い辺がノズル口１が形成されている側になるように配置されている。すなわち、角形溝１９は、ノズル口１が形成されている側が浅くなるように形成されている。また、角形溝１９は、上記の長手方向における略中央の角形溝中央部２０で浅く、両方の側方の端で深くなるように形成されている。すなわち、ノズル口１の長手方向における略中央から一方の側方の端および反対側の端に向かって、角形溝１９の深さが徐々に深くなるように形成されている。その他の構成については、第１の洗浄用スリットノズルと同様であるので、ここでは説明を繰返さない。
【００３５】
図３に、本実施の形態における第３の洗浄用スリットノズルの説明図を示す。図３（ａ）は、第３の洗浄用スリットノズルの先端部の拡大斜視図であり、図３（ｂ）は、第３の洗浄用スリットノズルの先端部の側面図である。第３の洗浄用スリットノズルは、外装体の上面に溝部として、Ｖ字形溝２１が形成されている。
【００３６】
Ｖ字形溝は、ノズル口１が形成されている側の端部に形成され、ノズル口１が形成されている端面からわずかに離れて形成されている。Ｖ字形溝２１は、ノズル口１の長手方向に平行な方向における外装体の一方の側方の端から反対側の端まで形成されている。Ｖ字形溝２１は、ノズル口１の長手方向に垂直な断面での形状がＶ字型になるように形成されている。Ｖ字形溝２１は、溝の底部がノズル口１が配置されている端面の方に偏るように形成されている。すなわち、Ｖ字形溝２１は、ノズル口１が配置されている側の傾斜面の勾配が、外装体の内側に向かう傾斜面の勾配より急になるように形成されている。また、Ｖ字形溝２１は、上記の長手方向における略中央のＶ字形溝中央部２２で浅く、両方の側方の端で深くなるように形成されている。すなわち、ノズル口１の長手方向における略中央から一方の側方の端および反対側の端に向かって、Ｖ字形溝２１の深さが徐々に深くなるように形成されている。その他の構成については、第１の洗浄用スリットノズルと同様であるので、ここでは説明を繰返さない。
【００３７】
図４に、本実施の形態における第４の洗浄用スリットノズルの説明図を示す。図４は、第４の洗浄用スリットノズルの先端部の拡大斜視図である。第４の洗浄用スリットノズルは、外装体の上面に溝部として、円形溝が形成されている。
【００３８】
第４の洗浄用スリットノズルの円形溝１６ｂは、ノズル口が形成されている側の端部に形成され、ノズル口が形成されている端面に接するように形成されている。円形溝１６ｂは、ノズル口の長手方向における一方においては、外装体の端まで形成されているが、その反対側は途中で途切れている。すなわち、円形溝１６ｂは、上記の長手方向の一方が外部に開口し、反対側の他方は閉止されている。途切れている位置は、ノズル口１の長手方向におけるノズル口１が形成されている区間７０の外側である。また、円形溝１６ｂは、溝が途切れている側から開口している側に向かって、徐々に深くなるように形成されている。その他の構成については、第１の洗浄用スリットノズルと同様であるので、ここでは説明を繰返さない。
【００３９】
（作用・効果）
図１（ａ）を参照して、本実施の形態における第１の洗浄用スリットノズルには、ポンプなどの処理液供給手段（図示せず）によって、処理液が供給される。この際、処理液は所定の圧力をかけて供給される。洗浄用スリットノズルに供給された処理液は、処理液供給口４および内部の空間部を通って、ノズル口１から噴射される。噴射される処理液膜３０の圧力は、洗浄用スリットノズルに供給される処理液の圧力を変化させることによって調整される。被洗浄物である基板８は、一列に形成された複数の搬送用滑車１５に運搬される。基板８は、搬送用滑車の上側を矢印６５の一方向に移動する。ノズル口１から噴射された処理液膜３０は、噴射方向に対向する向きに移動する基板８に衝突することによって、または、処理液の化学洗浄力によって、基板８の主表面の汚染物質を取り除くことができる。ノズル口１の長手方向の長さは、基板８の幅全体に処理液膜３０が衝突するように、基板８の幅よりも長くなるように形成されている。
【００４０】
図１（ｂ）に示すように、被洗浄物の洗浄中に、第１の洗浄用スリットノズルの上面に付着した付着液滴３４は、第１板状部材２の上面の傾斜に応じて、ノズル口１の方に向かって移動する。付着液滴３４は、第１の洗浄用スリットノズルの上面に形成されている円形溝１６ａに流れ込み、矢印６１に示すように、円形溝１６ａの勾配に従って第１の洗浄用スリットノズルの両側の側方に流れる。よって、第１の洗浄用スリットノズルのノズル口１から噴射される処理液膜３０に付着液滴３４が接触することを回避できる。このように、処理液膜３０の流れを乱して膜切れを起こすことなく、付着液滴３４を第１の洗浄用スリットノズルの上面から除去することができる。
【００４１】
図２（ａ）に示すように、第２の洗浄用スリットノズルについても同様であり、第２の洗浄用スリットノズルの上面に付着した付着液滴は、第１板状部材２上面の傾斜に応じて、ノズル口１の方に移動する。しかし、付着液滴は、矢印６２に示すように、第２の洗浄用スリットノズルの上面に形成されている角形溝１９の内部に流入する。付着液滴は、角形溝１９の勾配に従って、第２の洗浄用スリットノズルの両側の側方に排出される。よって、付着液滴が処理液膜に接触して膜切れが発生することを防止できる。
【００４２】
図３（ａ）に示すように、第３の洗浄用スリットノズルについても同様である。すなわち、第３の洗浄用スリットノズルの上面に付着した付着液滴は、第１板状部材２上面の傾斜に応じて、ノズル口１の方に移動する。しかし、付着液滴は、矢印６３で示すように、第３の洗浄用スリットノズルの上面に形成されているＶ字形溝２１の内部に流入する。付着液滴は、Ｖ字形溝２１の勾配に従って、第３の洗浄用スリットノズルの側方に排出される。よって、付着液滴が処理液膜に接触して膜切れが発生することを防止できる。
【００４３】
このように、外装体の上面のノズル口が形成されている側の端部に、ノズル口の長手方向における側方の端まで、溝部が形成されていることによって、付着液滴をノズル口が形成されている端面に落とさないようにすることができる。よって、付着液滴による処理液膜の膜切れの発生を防止することができる。
【００４４】
洗浄用スリットノズルにおいて、外装体の一方の側方の端から反対側の端まで溝部を形成することによって、ノズル口が形成されている面に、付着液滴が落ちることを確実に防止することができる。ノズル口の長手方向の略中央から両側の側方の端に向かって、溝部の深さが深くなるように形成されることによって、付着液滴の流れを２分割して、両側の側方の端に導くことができる。
【００４５】
溝部のノズル口の長手方向に垂直な断面形状を、第１の洗浄用スリットノズルのように円弧形状にすることによって、溝部内部に液滴が滞留することを防止して、液滴の流れを滑らかにすることができる。上記の断面形状を、第２の洗浄用スリットノズルのように多角形状にすることによって、溝部の断面積を大きくすることができ、付着液滴が多いような条件下においても、溝部から液滴が溢れることなく、膜切れの発生を防止することができる。また、上記の断面形状を、第３の洗浄用スリットノズルのように、Ｖ字形状にすることによって、容易に溝部を形成することができる。
【００４６】
本実施の形態においては、多角形状として、断面形状が台形の溝部を例示したが、溝部の断面形状としては、五角形のような他の形状であってもよい。さらには、溝部の断面形状に特に制限があるわけではなく、ノズル口１の長手方向の側方の端まで付着液滴を導ける程度に十分に断面積が大きければよい。
【００４７】
図４の第４の洗浄用スリットノズルにおいては、溝部の一方は側方の端まで形成されているが、反対側は途中で途切れている。このように、溝部が途中で途切れいてもよく、ノズル口の長手方向におけるノズル口が形成されている区間７０を含むように溝部が形成されており、一方が外装体の端まで形成されていればよい。第４の洗浄用スリットノズルは、上記の一方から上記の反対側に向かって、除々に浅くなるように形成することによって、円形溝１６ｂに流入する付着液滴を、矢印６５に示すように、全て第４の洗浄用スリットノズルの一方の側方に導くことができる。従って、ノズル口から噴射される処理液膜に付着液滴が接触することを回避して、膜切れの発生を防止することができる。
【００４８】
また、本実施の形態における溝部の底部は、スリット口の長手方向に傾斜を有していたが、滴下液滴が溢れないような条件下においては、上記の底部は水平でもよい。また、本実施の形態における洗浄用スリットノズルは、ノズル口の長手方向と基板の幅方向とが平行になるように形成されていたが、特に平行でなくてもよい。また、溝部は、外装体のノズル口が形成されいる側の端部に形成されていればよく、ノズル口が形成されている端面に接触していもよいし、僅かに離れていてもよい。
【００４９】
（実施の形態２）
（構成）
図５および図６を参照して、本発明に基づく実施の形態２における洗浄用スリットノズルを説明する。
【００５０】
図５は、本実施の形態における第１の洗浄用スリットノズルの説明図であり、（ａ）は洗浄用スリットノズルの拡大斜視図、（ｂ）は先端部の側面図である。
【００５１】
本実施の形態における第１の洗浄用スリットノズルは、実施の形態１における溝部に代えて外装体に形成される突起部を含み、この突起部として傾斜凸部２３ａが形成されている。傾斜凸部２３ａは、突起部の端面とノズル口が形成されている端面とが同一平面上になるように形成されている。傾斜凸部２３ａは、ノズル口１の長手方向において、洗浄用スリットノズルの一の側方の端から反対側の端まで形成されている。傾斜凸部２３ａは、上記の長手方向の略中央である傾斜凸部中央部２４から両側の側方の端に向かって、洗浄用スリットノズルの上面に平行かつ上記の長手方向に垂直な方向の長さが短くなるように形成されている。言いかえると、傾斜凸部２３ａを上から見た場合、傾斜凸部中央部２４において、幅が最も長くなるように形成され、両側の端に向かうにつれて幅が短くなるように形成されている。傾斜凸部２３ａの上面は、外装体の内側からノズル口１が形成されている端面に近づくにつれて、徐々に高くなるように傾斜している。
【００５２】
図６は、本実施の形態における第２の洗浄用スリットノズルの先端部の拡大斜視図である。
【００５３】
本実施の形態における第２の洗浄用スリットノズルは、実施の形態１における溝部に代えて、外装体に突起部を含み、この突起部として傾斜凸部２３ｂを含む。第２の洗浄用スリットノズルの傾斜凸部２３ｂは、ノズル口１の長手方向における側方の一方は、外装体の端まで形成されているが、反対側は途中で途切れている。傾斜凸部２３ｂは、上記の長手方向において、ノズル口が形成されている区間７０を含むように形成されている。傾斜凸部２３ｂの洗浄用スリットノズルの上面に平行かつノズル口１の長手方向に垂直な方向の長さは、上記の一方の端で０となり、反対側の途切れている側に向かうにつれて長くなるように形成されている。すなわち、傾斜凸部２３ｂを上から見た場合、途切れている側が底辺になる三角形に形成されている。傾斜凸部２３ｂの上面は、外装体の内側からノズル口１が形成されている端面の方に向かって、高くなるように傾斜している。
【００５４】
その他の構成については、実施の形態１における第１の洗浄用スリットノズルと同様であるので、ここでは説明を繰返さない。
【００５５】
（作用・効果）
図５に示すように、第１の洗浄用スリットノズルにおいて、第１の洗浄用スリットノズルの上面に落下した付着液滴は、第１の洗浄用スリットノズルの上面の勾配に従って、ノズル口が形成されている端面に向かって移動する。しかし、付着液滴は、突起部である傾斜凸部２３ａに衝突して、矢印６４で示すように、第１の洗浄用スリットノズルの側方に向きを変えて移動する。その後、付着液滴は、傾斜凸部２３ａの形状に沿って、第１の洗浄用スリットノズルの側方に排除される。傾斜凸部２３ａの上面に付着した付着液滴についても、傾斜凸部２３ａの上面の勾配に従って、ノズル口１が形成されている端面と反対側の向きに流れた後、第１の洗浄用スリットノズルの側方に排除される。このように、付着液滴が、ノズル口が形成されている端面まで到達して処理液膜に接触することを回避して、膜切れの発生を防止することができる。
【００５６】
突起部を、ノズル口１の長手方向における外装体の一方の側方の端から反対側の端まで形成することによって、付着液滴がノズル口のある端面に落下することを確実に防止できる。また、上記の長手方向の略中央から一方の側方の端および反対側の端に向かって、上面に平行かつ上記の長手方向に垂直な長さが短くなるように形成されることによって、付着液滴の流れを２分割して、洗浄用スリットノズルの両側の側方に付着液滴を導くことができる。
【００５７】
図５における第１の洗浄用スリットノズルは、傾斜凸部をノズル口の長手方向において、外装体の一方の側方の端から他方の端まで形成している。しかし、図６に示す第２の洗浄用スリットノズルのように、突起部の上記の長手方向は、ノズル口が形成されている区間７０を含むように延びており、一方が外装体の側方の端まで形成されていればよい。この構成を採用することによっても、矢印６８に示すように、付着液滴がノズル口のある端面まで到達して処理液膜に接触することを回避でき、膜切れの発生を防止することができる。
【００５８】
本実施の形態においては、表面が平面からなる傾斜凸部を形成したが、傾斜凸部を上から見た時に、付着液滴が流れる傾斜凸部と外装体の上面との境界は、直線ではなく円弧を描くような曲面を含む形状でもよい。また、突起部として傾斜凸部を形成したが、特にこの形状に限られる訳ではなく、突起した形状を有する部分であればよい。たとえば、洗浄用スリットノズルの上面に、ノズル口が形成されている端面を延在するような平板状の壁を形成してもよい。
【００５９】
その他の作用および効果については、実施の形態１における第１の洗浄用スリットノズルと同様であるので、ここでは説明を繰返さない。
【００６０】
（実施の形態３）
（構成）
図７を参照して、本発明に基づく、実施の形態３における洗浄用スリットノズルについて説明する。図７（ａ）は、本実施の形態における洗浄用スリットノズルの先端部の拡大斜視図であり、図７（ｂ）は本実施の形態における洗浄用スリットノズルの使用状態を説明する側面図である。本実施の形態における洗浄用スリットノズルは、そのノズル口を鉛直方向の略下側に向けて使用するものである。
【００６１】
本実施の形態における洗浄用スリットノズルは、実施の形態１における溝部の代わりに、張出し部２５が形成されている。張出し部２５は、外装体のノズル口１が形成されている面と同じ面に、ノズル口１の長手方向におけるノズル口１が形成されている区間を含むように形成されている。本実施の形態においては、張出し部２５は、上記の長手方向における外装体の一方の端から他方の端まで形成されている。張出し部２５は、ノズル口１の両側に離れて形成されており、三角柱の形状をしている。
【００６２】
その他の構成については、実施の形態１における第１の洗浄用スリットノズルと同様であるので、ここでは説明を繰返さない。
【００６３】
（作用・効果）
図７（ｂ）に示すように、本実施の形態における洗浄用スリットノズルは、ノズル口を略鉛直下向きにして使用する。ノズル口から噴射された処理液膜は、衝突部４０で基板８と衝突する。基板８と処理液膜との面同士がなす角度θは、略９０°である。この洗浄用スリットノズルにおいても、被洗浄物の洗浄中に、浮遊液滴や落下液滴が外装体の表面に付着する。洗浄用スリットノズルに付着した付着液滴は、矢印６６に示すように、洗浄用スリットノズルの外装体に沿って、鉛直下向きに落下する。この際、ノズル口１が形成されている面と同じ面に張出し部２５が形成されていることによって、付着液滴を張出し部２５に沿って落下させて、処理液膜に接触することを回避できる。その結果、処理液膜の膜切れを防止することができる。
【００６４】
張出し部は、洗浄用スリットノズルの完成品に対して、後から接着、溶接などの方法で付加することが可能である。すなわち、既に使用されている従来の技術に基づく洗浄用スリットノズルに、張出し部を付け足すことができる。この張出し部をノズル口の長手方向の一の端面から他の端面まで形成することによって、処理液膜に付着液滴が接触することを確実に防止できる。
【００６５】
また、張出し部の液状を三角柱にすることによって、容易に張出し部を形成することができ、また、図７（ｂ）の矢印６６で示すように、付着液滴の流れを処理液膜に接触することを回避するようにできる。
【００６６】
本実施の形態においては、張出し部として三角柱の形状を有するものを形成したが、特にこの形態に限られるものではなく、ノズル口が形成されている面から張出した部分を形成すればよい。たとえば、凸部のような立体的な形状でなく、板状の平面的な張出し部が形成されていてもよい。
【００６７】
その他の作用および効果については、実施の形態１における第１の洗浄用スリットノズルと同様であるので、ここでは説明を繰返さない。
【００６８】
（実施の形態４）
図８を参照して、本発明に基づく実施の形態４における洗浄装置について説明する。上述の本発明に基づく洗浄用スリットノズルは、洗浄装置に配置される。図８においては、上述の洗浄用スリットノズルのうち、実施の形態１における第１の洗浄用スリットノズルが配置された洗浄装置を示している。
【００６９】
洗浄用スリットノズル５０などの主要機器は、洗浄槽１２の内部に配置される。洗浄槽１２の内部には、被洗浄物を運搬するための、搬送用滑車１５が一列に複数個配置されている。ここでの被洗浄物は基板８である。搬送用滑車１５は、図示しない回転手段に接続されており、基板８は、搬送用滑車１５の上に配置されて矢印６５の方向に運搬される。洗浄用スリットノズル５０は、基板８の運搬経路から離れて配置されている。洗浄用スリットノズル５０は、傾斜をつけて配置されており、被洗浄物の運搬方向に対向する向きに、処理液を噴射できるように配置されている。洗浄用スリットノズル５０の上面の処理液供給口４には、継手１０を介して処理液供給パイプ９が接続されている。
【００７０】
処理液は、図示しない給水ポンプなどの外部の処理液供給手段によって、供給される。処理液は、処理液供給パイプ９および継手１０を通って、処理液供給口４から洗浄用スリットノズル５０に供給される。処理液は膜状となって、洗浄用スリットノズル５０のノズル口から噴射される。噴射された処理液は、基板８に衝突して、基板８の表面の洗浄が行なわれる。基板８は、処理液の衝突中も、矢印６５の向きに運搬が行なわれ、基板８の表面全体が洗浄される。基板８に衝突して洗浄が完了した処理液は、洗浄槽１２の底部に接続された排液管１３から排出される。
【００７１】
このように、上記発明の洗浄用スリットノズルを、洗浄装置に使用することによって、処理液膜に膜切れが生じずに均一な洗浄を行なうことができる洗浄装置を提供することができる。また、洗浄が不十分である不良品を減少させることができ、製品の歩留まりが向上する洗浄装置を提供することができる。
【００７２】
上記の説明においては、被洗浄物として板状の基板を用いて説明したが、特に板状の被洗浄物に限られず、立体的な形状の被洗浄物に対する洗浄用スリットノズルおよび洗浄装置についても適用することができる。また、本発明は、半導体装置や液晶装置の製造工程のみに限定されず、あらゆる装置の洗浄工程に用いることができる。
【００７３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００７４】
【発明の効果】
本発明によれば、洗浄用スリットノズルに付着した液滴による膜切れの発生を防止できる、洗浄用スリットノズルおよびこれを備えた洗浄装置を提供することができる。
【図面の簡単な説明】
【図１】（ａ）、（ｂ）および（ｃ）は、本発明に基づく実施の形態１における第１の洗浄用スリットノズルの説明図である。
【図２】（ａ）および（ｂ）は、本発明に基づく実施の形態１における第２の洗浄用スリットノズルの説明図である。
【図３】（ａ）および（ｂ）は、本発明に基づく実施の形態１における第３の洗浄用スリットノズルの説明図である。
【図４】本発明に基づく実施の形態１における第４の洗浄用スリットノズルの説明図である。
【図５】（ａ）および（ｂ）は、本発明に基づく実施の形態２における第１の洗浄用スリットノズルの説明図である。
【図６】本発明に基づく実施の形態２における第２の洗浄用スリットノズルの説明図である。
【図７】（ａ）および（ｂ）は、本発明に基づく実施の形態３における洗浄用スリットノズルの説明図である。
【図８】本発明に基づく実施の形態４における洗浄装置の概略断面図である。
【図９】（ａ）および（ｂ）は、従来の技術に基づく洗浄用スリットノズルで洗浄している様子を示す説明図である。
【図１０】従来の技術に基づく、洗浄装置を説明する概略断面図である。
【図１１】従来の技術に基づく、洗浄用スリットノズルの不具合を説明する斜視図である。
【符号の説明】
１  ノズル口、２  第１板状部材、３  第２板状部材、４  処理液供給口、５スペーサ、７  ねじ、８  基板、９  処理液供給パイプ、１０  継手、１２  洗浄槽、１３  排液管、１４  槽内天井部、１５  搬送用滑車、１６ａ，１６ｂ円形溝、１７  円形溝中央部、１９  角形溝、２０  角形溝中央部、２１  Ｖ字形溝、２２  Ｖ字形溝中央部、２３ａ，２３ｂ  傾斜凸部、２４  傾斜凸部中央部、２５  張出し部、３０  処理液膜、３１  浮遊液滴、３２  落下液滴、３３  液溜り、３４  付着液滴、４０  液膜衝突部、４１  膜切れ部、５０  洗浄用スリットノズル、６０，６１，６２，６３，６４，６５，６６，６７，６８  矢印、７０  区間、θ  角度。
【図１】
2004305930.tif 000003
【図２】
2004305930.tif 000004
【図３】
2004305930.tif 000005
【図４】
2004305930.tif 000006
【図５】
2004305930.tif 000007
【図６】
2004305930.tif 000008
【図７】
2004305930.tif 000009
【図８】
2004305930.tif 000010
【図９】
2004305930.tif 000011
【図１０】
2004305930.tif 000012
【図１１】
2004305930.tif 000013